(57)【要約】【課題】手軽に砂浴療法と同様の療法を実践できる寝具セットを提供する。【解決手段】本発明の寝具セットＳは、敷布団２０と掛布団３０と枕４０とを備える寝具セットＳであって、敷布団２０は、上皮材２１と下皮材２２とを縫製して形成された袋体２３を有し、掛布団３０は、上皮材３１と下皮材３２とを縫製して形成された袋体３３を有し、各袋体２３，３３に砂が充填されてなるものである。この寝具セットＳの利用に際しては、寝具セット利用者の太腿の膝上を縛るベルト５０と膝枕６０とを併用するのがよい。【選択図】図１
2014184007.tif 000002
【特許請求の範囲】
【請求項１】
敷布団と掛布団と枕とを備える寝具セットであって、
前記敷布団は、上皮材と下皮材とを縫製して形成された袋体を有し、
前記掛布団は、上皮材と下皮材とを縫製して形成された袋体を有し、
前記各袋体に砂が充填されてなる
ことを特徴とする寝具セット。
【請求項２】
寝具セット利用者の太腿の膝上を縛るベルトと、膝枕とが付加されてなることを特徴とする請求項１記載の寝具セット。
【請求項３】
顔面覆いが付加されてなることを特徴とする請求項１または２記載の寝具セット。
【請求項４】
顔面覆いは、上皮材と下皮材とを縫製して形成された袋体を有し、前記袋体に砂が充填されてなることを特徴とする請求項３記載の寝具セット。
【請求項５】
枕が頸椎のほぐれをなすよう構成されてなることを特徴とする請求項１記載の寝具セット。
【請求項６】
膝枕が脛の血行促進をなすよう構成されてなることを特徴とする請求項２記載の寝具セット。
【請求項７】
表層部と、該表層材を支持する桟木とを含むベースが付加されてなることを特徴とする請求項１記載の寝具セット。
【請求項８】
表層部は、縦長の板材を所定間隔にて配設して構成されてなることを特徴とする請求項７記載の寝具セット。
【発明の詳細な説明】
【技術分野】
【０００１】
本発明は寝具セットに関する。さらに詳しくは、砂浴療法と同様の効果が期待される寝具セットに関する。
【背景技術】
【０００２】
従来より、自然療法の一つとして砂浴療法が知られている。この砂浴療法は、砂から頭だけを出して全身を砂に埋めて、体から毒素を排出するという療法である。
【０００３】
しかるに、この砂浴療法を実践しようとした場合、砂のある河川敷や砂浜に出向く必要があるため、手軽にできないという問題がある。
【０００４】
そのため、砂浴療法の実践者から手軽に砂浴療法を実践できるような手段が求められている。
【０００５】
なお、サンゴの粉末を布団に入れて脱臭を行う技術については、特許文献１に提案がなされている。
【先行技術文献】
【特許文献】
【０００６】
【特許文献１】特開２００３−３２７４６９号公報
【発明の開示】
【発明が解決しようとする課題】
【０００７】
本発明はかかる従来技術の課題に鑑みなされたものであって、手軽に砂浴療法と同様の療法を実践できる寝具セットを提供することを目的としている。
【課題を解決するための手段】
【０００８】
本発明の寝具セットは、敷布団と掛布団と枕とを備える寝具セットであって、前記敷布団は、上皮材と下皮材とを縫製して形成された袋体を有し、前記掛布団は、上皮材と下皮材とを縫製して形成された袋体を有し、前記各袋体に砂が充填されてなることを特徴とする。
【０００９】
本発明の寝具セットにおいては、寝具セット利用者の太腿の膝上を縛るベルトと、膝枕とが付加されてなるのが好ましい。
【００１０】
また、本発明の寝具セットにおいては、顔面覆いが付加されてなるのが好ましい。その場合、顔面覆いは上皮材と下皮材とを縫製して形成された袋体を有し、前記袋体に砂が充填されてなるのがさらに好ましい。
【００１１】
また、本発明の寝具セットにおいては、枕が頸椎のほぐれをなすよう構成されてなるのが好ましい。
【００１２】
また、本発明の寝具セットにおいては、膝枕が脛の血行促進をなすよう構成されてなるのが好ましい。
【００１３】
また、本発明の寝具セットにおいては、表層部と、該表層材を支持する桟木とを含むベースが付加されてなるのが好ましい。その場合、表層部は、縦長の板材を所定間隔にて配設して構成されてなるのがさらに好ましい。
【発明の効果】
【００１４】
本発明の寝具セットは前記の如く構成されているので、手軽に砂浴療法と同様の効果を得ることができるという優れた効果を奏する。
【図面の簡単な説明】
【００１５】
【図１】本発明の実施形態１に係る寝具セットの分解図である。
【図２】同実施形態に係るベースの平面図である。
【図３】同正面図である。
【図４】同実施形態に係る敷布団の平面図である。
【図５】同長手方向断面図である。
【図６】同実施形態に係る枕の二面図であって、同（ａ）は平面を示し、同（ｂ）は側面を示す。
【図７】同実施形態の寝具セットの使用例を示す写真である。
【図８】本発明の実施形態２に係る寝具セットの図１相当図である。
【図９】同実施形態の寝具セットの使用例を示す写真である。
【図１０】本発明の実施形態あに係る寝具セットの図１相当図である。
【図１１】同実施形態に係る顔面覆いの二面図であって、同（ａ）は平面を示し、同（ｂ）は側面を示す。
【図１２】同実施形態の寝具セットの使用例を示す写真である。
【発明を実施するための形態】
【００１６】
以下、添付図面を参照しながら本発明を実施形態に基づいて説明するが、本発明はかかる実施形態のみに限定されるものではない。
【００１７】
実施形態１
図１に、本発明の実施形態１に係る寝具セットＳを分解図で示す。
【００１８】
寝具セットＳは、図１に示すように、ベース１０と、ベース１０の上に敷かれる敷布団２０と、掛布団３０と、枕４０とを主要構成要素としてなるものとされる。
【００１９】
ベース１０は、図２および図３に示すように、縦長の板材１１ａを所定間隔で配列してなる表層部１１と、表層部１１を支持する所定間隔で配設された所要数の桟木１２とを含むものであって、敷布団２０が敷けるサイズとされる。縦長の板材１１ａと桟木１２とは、例えば接着剤や釘などで接合される。
【００２０】
縦長の板材１１ａの幅および配列ピッチは、ベース１０の上に敷かれた敷布団２０が平坦となるよう調整されている。
【００２１】
表層部１１を縦長の板材１１ａとするのは、使用者つまり寝ている人の気の流れをよくするためである。また、縦長の板材１１ａの材質は、例えば檜とされる。
【００２２】
敷布団２０は、図４および図５に示すように、上皮材２１と下皮材２２とを縫い目が碁盤目状となるように縫製し、それらの縫い目により形成された各袋状升目(袋体)２３に砂が充填されてなるものとされる。升目のサイズは、例えば３ｃｍ−５ｃｍとされる。
【００２３】
ここで、充填する砂は、海砂や川砂などでよく、その種類に特に限定はない。
【００２４】
掛布団３０は、敷布団２０と同様に、上皮材３１と下皮材３２とを縫い目が碁盤目状となるように縫製し、それらの縫い目により形成された各袋状升目(袋体)３３に砂が充填されてなるものとされる。升目のサイズは、例えば３ｃｍ−５ｃｍとされる。
【００２５】
枕４０は、特開２０１０−１６２２５１号公報に提案されているものとされる。その構成を簡単に説明すれば次のようになる。すなわち、枕本体と枕カバーとを備え、前記枕本体は、傾斜面と、該傾斜面の上辺から一体的に形成された平面と、該平面の後辺から一体的に形成された曲面とを含む上面を有するものとされる(図６参照)。しかして、かかる構成とされた枕４０の平面に頭部を寝かせ、傾斜面に頸椎を寝かせることにより、頸椎がほぐれ血行がよくなる。
【００２６】
図７に、本実施形態の寝具セットＳの使用例を示す。
【００２７】
このように、本実施形態によれば、砂が充填された敷布団２０および掛布団３０にくるまって寝ることになるので、砂浴療法と同様の効果が期待される。
【００２８】
また、敷布団２０は、桟木１２を有するベース１０上に敷かれているので、風通しがよく敷布団２０の湿りが防止される。
【００２９】
実施形態２
図８に、本発明の実施形態２を分解図で示す。実施形態２は実施形態１を改変してなるものであって、太腿を膝上で縛るベルト５０と、膝を内側から支持する膝枕６０とを付加してなるものとされる。以下、実施形態２の実施形態１と異なる点を中心に説明する。
【００３０】
ベルト５０は、例えば魔法ベルト(株式会社さんこう計画  商品名)とされる。ベルト５０で大腿を縛るのは、下肢のずれや動きを防止し、砂に埋まっている状態に近づけるため、および血行促進を図るためである。
【００３１】
膝枕６０は、特開２０１０−１６２２５２号公報に提案されているものとされる。その構成を簡単に説明すれば次のようになる。すなわち、枕本体と枕カバーとを備え、前記枕本体は、傾斜面と、該傾斜面の上辺から一体的に形成された平面と、該平面の後辺から一体的に形成された曲面とを含む上面を有するものとされる(図６参照)。しかして、かかる構成とされた膝枕６０の平面に膝の内側を載せ、傾斜面に脛の内側を載せることにより、股関節の内外転を防止できて砂に埋まっている状態に近づけることができるとともに、脚部の敷布団２０からの圧迫が軽減され血行促進が図られる。
【００３２】
図９に、本実施形態の寝具セットＳの使用例を示す。
【００３３】
このように、本実施形態によれば、ベルト５０で膝を縛るとともに膝枕６０により股関節の内外転を防止しているので、下肢の動きがなくなり砂に埋まっている状態により近づくため、より一層砂浴療法の効果が期待される。
【００３４】
実施形態３
図１０に、本発明の実施形態３を分解図で示す。実施形態３は実施形態２を改変してなるものであって、顔面を覆う顔面覆い７０を設けてなるものとされる。
【００３５】
顔面覆い７０は、図１１に示すように、上皮材７１と下皮材７２とを縫い目が碁盤目状となるように縫製し、それらの縫い目により形成された各袋状升目(袋体)７３に砂が充填されてなるものとされる。升目のサイズは、例えば３ｃｍ−５ｃｍとされる。
【００３６】
このように、本実施形態によれば、砂が充填された顔面覆い７０により顔面を覆っているので、より一層の砂浴療法の効果が期待される。
【００３７】
以上、本発明を実施形態に基づいて説明してきたが、本発明はかかる実施形態のみに限定されるものではなく、種々改変が可能である。
【００３８】
例えば、本実施形態では袋体２３，３３に砂が充填されているが、砂に芳香剤などの香料を混入するようにされてもよい。
【産業上の利用可能性】
【００３９】
本発明の寝具産業に適用できる。
【符号の説明】
【００４０】
Ｓ      寝具セット
１０      ベース
１１      表層部
１１ａ    縦長の板材
１２      桟木
２０      敷布団
２１      上皮材
２２      下皮材
２３      袋体
３０      掛布団
３１      上皮材
３２      下皮材
３３      袋体
４０      枕
５０      ベルト
６０      膝枕
７０      顔面覆い
７１      上皮材
７２      下皮材
７３      袋体
【図１】
2014184007.tif 000003
【図２】
2014184007.tif 000004
【図３】
2014184007.tif 000005
【図４】
2014184007.tif 000006
【図５】
2014184007.tif 000007
【図６】
2014184007.tif 000008
【図７】
2014184007.tif 000009
【図８】
2014184007.tif 000010
【図９】
2014184007.tif 000011
【図１０】
2014184007.tif 000012
【図１１】
2014184007.tif 000013
【図１２】
2014184007.tif 000014